(57)【特許請求の範囲】
【請求項１】
画像表示手段と接して配置された透明座標入力手段を有し、透明座標入力手段の表面に手指又は筆記手段を接触させた位置に相当する透明座標入力手段の座標データを入力する画像表示装置において、
表示された画像の所望の部分をポイントするため画像表示面に表示された画像を縮小して表示するポイント操作領域を、使用者が指示した位置に、かつ各座標を画像表示面全領域内の各座標と対応させて表示し、
表示したポイント操作領域のいずれかの位置が手指又は筆記手段でポイントされると、画像表示面に表示された画像の対応する位置にポインタを移動し、ポインタを移動後、ポイント操作領域内のその位置を手指又は筆記手段でたたくと画像表示面に表示されたポインタはポイント状態に移行し、当該ポイント状態に応じてポイント操作領域の表示色を変えることを特徴とする画像表示装置。
【請求項２】
画像表示手段と接して配置された透明座標入力手段を有し、透明座標入力手段の表面に手指又は筆記手段を接触させた位置に相当する透明座標入力手段の座標データを入力する画像表示装置において、
表示された画像の所望の部分をポイントするため画像表示面に表示された画像を縮小して表示するポイント操作領域を、使用者が指示した位置に、かつ各座標を画像表示面全領域内の各座標と対応させて表示し、
表示したポイント操作領域に手指又は筆記手段を接触しながら移動して画像表示面に表示された画像のいずれかのオブジェクトまでポインタを移動後、ポイント操作領域内のその位置を手指又は筆記手段でたたくと画像表示面に表示された画像の対応するオブジェクトのポイント状態に移行し、当該ポイント状態に応じてポイント操作領域の表示色を変えることを特徴とする画像表示装置。
【請求項３】
画像表示手段と接して配置された透明座標入力手段を有し、透明座標入力手段の表面に手指又は筆記手段を接触させた位置に相当する透明座標入力手段の座標データを入力する画像表示装置において、
表示された画像の所望の部分をポイントするため画像表示面に表示された画像を縮小して表示するポイント操作領域を、使用者が指示した位置に、かつ各座標を画像表示面全領域内の各座標と対応させて表示し、
表示したポイント操作領域のいずれかの位置に手指又は筆記手段を移動後、その位置を手指又は筆記手段でたたくと、画像表示面に表示された画像の対応する位置のポイント状態に移行し、当該ポイント状態に応じてポイント操作領域の表示色を変えることを特徴とする画像表示装置。
【請求項４】
画像表示手段と接して配置された透明座標入力手段を有し、透明座標入力手段の表面に手指又は筆記手段を接触させた位置に相当する透明座標入力手段の座標データを入力する画像表示装置において、
表示された画像の所望の部分をポイントするため画像表示面に表示された画像を縮小して表示するポイント操作領域を、使用者が指示した位置に、かつ各座標を画像表示面全領域内の各座標と対応させて表示し、
表示したポイント操作領域のいずれかの位置に手指又は筆記手段を移動後、その位置を手指又は筆記手段で複数回たたくと、画像表示面に表示された画像の対応する位置を、たたく回数に応じたいずれかのポイント状態とし、当該ポイント状態に応じてポイント操作領域の表示色を変えることを特徴とする画像表示装置。
【発明の詳細な説明】
【０００１】
【発明の属する技術分野】
この発明は、手指または筆記器具等によって指示した座標を入力するタッチパネルを有する画像表示装置、特に、多数の人を前にプレゼンテーションを行う場合に、大画面の画像表示装置に表示された画像の任意の位置を有効に指示することに関するものである。
【０００２】
【従来の技術】
近年、大画面の表示装置を用いてコンピュータ画像などによる画像を表示して、効果的なプレゼンテーションを行う例が増加している。このようなプレゼンテーションでは、画像を表示するためのパソコンに接続されたマウスなどのポインティング機器を発表者が操作して指示動作を行うことが多い。一方で、このようなプレゼンテーションでは、表示された画面を直接指し示して説明すると効果的であることがよく知られている。このためマウスなどのポインティング機器があるにもかかわらず、発表者が画面を手指で指し示したり、物理的な指示棒やレーザーポインタで指し示すことがよく行なわれている。しかしながら手指や指示棒あるいはレーザーポインタ等で画面を指し示した場合、発表者が指し示した画面の座標をコンピュータに取り込むことは不可能であり、コンピュータ画像によるプレゼンテーションの利点を活かすことができない。これを解決する手段として例えば特開平５−80925号公報に示すように、ポインティング装置に水平方向と垂直方向の傾きを検出するジャイロを設け、ポインティング装置が特定の方向に向けられると、その角度を検出して画像表示装置にデータを送り、画像表示装置の画面上のカーソルを移動させるようにして、発表者が画面に触れなくとも所望の座標を指示できるようにしている。また、より直接的な方法として、例えば特開平９−44304号公報等に示されているように、タッチパネルを表示装置の表面に設け、表示された画像に発表者が直接さわることによって、表示画像の指示動作を与えることができる方法も多く提案されている。
【０００３】
【発明が解決しようとする課題】
上記ポインティング装置にジャイロを設けてポインティング装置の角度から画面上のカーソルを移動させる方法は、発表者が画面方向を指し示すものの、直接画面を指し示すものではないとともにジャイロのドリフトの影響を受けやすく、指示動作が不安定になりやすい。また、タッチパネルを用いた方法は発表者が画像に直接触れる必要があるため、画面が大きくなった場合、画面全体にわたって指示動作をするためには、発表者が表示画面の前を横切る必要が生じたり、上端部の画像には手が届かないなどの不都合が生じる。
【０００４】
この発明はかかる短所を解消し、大画面に表示された画像を発表者が指示動作する場合に、発表者が自然な姿勢で画面に表示された画像を聴衆に向かって指示動作することができるタッチパネルを用いた画像表示装置を得ることを目的とするものである。
【０００５】
【課題を解決するための手段】
この発明に係る画像表示装置は、画像表示手段と接して配置された透明座標入力手段を有し、透明座標入力手段の表面に手指又は筆記手段を接触させた位置に相当する透明座標入力手段の座標データを入力する画像表示装置において、表示された画像の所望の部分をポイントするため画像表示面に表示された画像を縮小して表示するポイント操作領域を、使用者が指示した位置に、かつ各座標を画像表示面全領域内の各座標と対応させて表示し、表示したポイント操作領域のいずれかの位置が手指又は筆記手段でポイントされると、画像表示面に表示された画像の対応する位置にポインタを移動し、ポインタを移動後、ポイント操作領域内のその位置を手指又は筆記手段でたたくと画像表示面に表示されたポインタはポイント状態に移行し、当該ポイント状態に応じてポイント操作領域の表示色を変えることを特徴とする。
【０００６】
この発明に係る第２の画像表示装置は、画像表示手段と接して配置された透明座標入力手段を有し、透明座標入力手段の表面に手指又は筆記手段を接触させた位置に相当する透明座標入力手段の座標データを入力する画像表示装置において、表示された画像の所望の部分をポイントするため画像表示面に表示された画像を縮小して表示するポイント操作領域を、使用者が指示した位置に、かつ各座標を画像表示面全領域内の各座標と対応させて表示し、表示したポイント操作領域に手指又は筆記手段を接触しながら移動して画像表示面に表示された画像のいずれかのオブジェクトまでポインタを移動後、ポイント操作領域内のその位置を手指又は筆記手段でたたくと画像表示面に表示された画像の対応するオブジェクトのポイント状態に移行し、当該ポイント状態に応じてポイント操作領域の表示色を変えることを特徴とする。
【０００７】
この発明に係る第３の画像表示装置は、画像表示手段と接して配置された透明座標入力手段を有し、透明座標入力手段の表面に手指又は筆記手段を接触させた位置に相当する透明座標入力手段の座標データを入力する画像表示装置において、表示された画像の所望の部分をポイントするため画像表示面に表示された画像を縮小して表示するポイント操作領域を、使用者が指示した位置に、かつ各座標を画像表示面全領域内の各座標と対応させて表示し、表示したポイント操作領域のいずれかの位置に手指又は筆記手段を移動後、その位置を手指又は筆記手段でたたくと、画像表示面に表示された画像の対応する位置のポイント状態に移行し、当該ポイント状態に応じてポイント操作領域の表示色を変えることを特徴とする。
【０００８】
この発明に係る第４の画像表示装置は、画像表示手段と接して配置された透明座標入力手段を有し、透明座標入力手段の表面に手指又は筆記手段を接触させた位置に相当する透明座標入力手段の座標データを入力する画像表示装置において、表示された画像の所望の部分をポイントするため画像表示面に表示された画像を縮小して表示するポイント操作領域を、使用者が指示した位置に、かつ各座標を画像表示面全領域内の各座標と対応させて表示し、表示したポイント操作領域のいずれかの位置に手指又は筆記手段を移動後、その位置を手指又は筆記手段で複数回たたくと、画像表示面に表示された画像の対応する位置を、たたく回数に応じたいずれかのポイント状態とし、当該ポイント状態に応じてポイント操作領域の表示色を変えることを特徴とする。
【００１０】
【発明の実施の形態】
この発明の画像表示装置は、画像表示手段と画像表示手段の表面に設けられたタッチパネルを有する。この画像表示装置の制御部は、ＣＰＵとＲＯＭとＲＡＭと送信部と受信部とポインタ領域作成部とポインタ移動部及びポイント指示部を有する。
【００１１】
上記のように構成された画像表示装置の画像表示手段の表示画面の大きさが、例えば対角で100インチ程度の大きさの場合、画面の向かって左端に立った発表者が右端上方の表示点を直接ポイントするのは困難である。そこで、ＣＰＵは画像表示手段の画面のすみに例えば押しボタンなどのアイコンでポイント操作領域作成を選択するアイコンを表示しておく。このアイコンにより発表者がポイント操作領域の作成を選択し、ポイント操作領域を作成する位置を指示すると、ポインタ領域作成部は、画像表示手段とタッチパネルを指示された大きさに縮小し、画像表示手段の指示された位置に矩形のポイント操作領域を作成して表示する。この表示されたポイント操作領域を確認した発表者は表示画面上の表示点を直接ポイントする代わりにポイント操作領域内の表示画面上の表示点に対応する位置をポイントする。発表者がポイント操作領域内の表示画面上の表示点に対応する位置をポイントすると、ポインタ移動部は表示画面上のポインタを表示点に移動して表示点を指示する。このようにして大画面上の発表者の手が届かない表示点を簡単かつ正確にポイントすることができる。
【００１２】
【実施例】
図１はこの発明の一実施例の外観図である。図に示すように画像表示装置１は画像表示手段２及び画像表示手段２の表面に設けられ例えば超音波表面弾性波を用いたタッチパネル３を有する大画面ディスプレイ装置からなる。画像表示装置１の制御部４は、図２のブロック図に示すように、ＣＰＵ４１とＲＯＭ４２とＲＡＭ４３と送信部４４と受信部４５と増幅器４６と検波器４７とＡ／Ｄ変換器４８とポインタ領域作成部４９とポインタ移動部５０及びポイント指示部５１を有する。ＣＰＵ４１は装置全体を管理する。送信部４４はバースト波を電気的に発生し、発生した電気振動をタッチパネル３に送る。タッチパネル３上のトランスデューサ３１は送られた電気振動を機械振動に変換しタッチパネル３上に表面弾性波を送出する。この送出された表面弾性波は直進性を持ち、ほぼ直進的に進行する。直進的に進行する表面弾性波はタッチパネル３上の第一の反射素子３２により一部は90度反射され一部は透過する。透過した表面弾性波は次の第一の反射素子３２により同様な作用を受ける。このようにして反射作用を受けた表面弾性波はタッチパネル３の垂直軸に対して平行である時間差を持って進行する。この時間差を持った表面弾性波は第二の反射素子により再度90度反射を受ける。再度反射を受けた表面弾性波は一つの経路を通り、タッチパネル３の中央部に対して線対称に配置されたトランスデューサ３１に受信される。この受信用のトランスデューサ３１で機械振動を再度電気振動に変換して受信部４５へ送る。この受信部４５で受信した電気振動は非常に小さいため、増幅器４６で増幅したのち検波器４７によって整流され、図３及び図４に示すような波形に変換される。この波形をＡ／Ｄ変換器４８でディジタル化しＲＡＭ４３に格納する。ここで図３に示した波形はタッチパネル３に指先等が非接触時の受信波形であり、時間軸に対して示される受信波形はタッチパネル３上の送受信部分から反射素子３２に沿った位置に対応する。図４に示した波形はタッチパネル３に指先等が接触したときの受信波形である。指先等が接触したタッチパネル３上を通過する表面弾性波は接触により減衰を受けるため、その位置に対応する受信信号レベルは小さくなる。この非接触時の受信波形をＲＡＭ４３に格納し、接触時の受信波形と比較することにより指先等が接触した位置を確定することができる。すなわち、接触位置は減衰の個所が最大になる部分で、その位置を細かく観察し求めるか、受信波形を微分してゼロクロスする位置を接触位置としている。この接触位置検出をＸ方向とＹ方向で行うことによりタッチパネル３上の接触位置を検出できる。
【００１３】
上記のように構成された画像表示装置１で、例えば図１に示すように、画像表示手段２の表示画面上の点Ａを指示する場合の動作を図５の表示図と図６のフローチャートを参照して説明する。通常の動作状態では画像表示装置１を使用している発表者が指先で画面２１上の点Ａに触れたときに、発表者が点Ａを指示したと見なしてポインタ６を点Ａに移動する。この画像表示手段２の表示画面の大きさが、例えば対角で100インチ程度の大きさの場合、画面の向かって左端に立った発表者が右端上方の点Ａを直接ポイントするのは困難である。そこで、ＣＰＵ４１は画像表示手段２の画面のすみに例えば押しボタンなどのアイコンでポイント操作領域作成を選択するアイコンを表示しておく。このアイコンにより発表者がポイント操作領域の作成を選択し、ポイント操作領域を作成する位置を指示すると（ステップＳ１，Ｓ２）、ポインタ領域作成部４９は、図５に示すように、画像表示手段２とタッチパネル３を指示された大きさに縮小し、矩形のポイント操作領域７を作成して画像表示手段３に表示する（ステップＳ３）。このポイント操作領域７を確認した発表者は表示画面２１上の点Ａを直接ポイントする代わりにポイント操作領域７内の点Ａに対応する点Ｂをポイントすると（ステップＳ４）、ポインタ移動部５０はポインタ６を表示画面２１上の点Ａに移動して点Ａを指示する（ステップＳ５）。このようにして大画面上の手が届かない点Ａを直接的にポイントすることができる。
【００１４】
上記図１に示した通常の動作状態の画像表示手段２の表示画面２１に、図５に示すようにポインタ領域作成部４９でポイント操作領域７を表示し、表示したポイント操作領域７を消去するときの動作を図７の処理工程図と図８のフローチャートを参照して詳細に説明する。図７（ａ）に示すように、通常の動作状態の画像表示手段２の画面２１で発表者が、あらかじめ定義されている幾何学的特徴をもつループ状の軌跡、例えば長方形に近い軌跡２２を描くと、ＣＰＵ４１は発表者の指先５がタッチパネル３に触ったことを判断し、その時点から指先５がタッチパネル３から離れるまでのタッチ座標と時刻をＲＡＭ４３に連続的に記録する（ステップＳ１１〜Ｓ１３）。ポインタ領域作成部４９はＲＡＭ４３に記録された座標と時刻のデータ列から発表者が線画を描画したのかタッチパネル３に触って点をポイント指示したのかを判断する（ステップＳ１４）。ポインタ領域作成部４９は図７（ａ）に示すように線画を描画したものと判断すると、描かれた線画２２による描画パターンの重心計算を行ない（ステップＳ１５）、パターンの種別を識別し（ステップＳ１６）、識別したパターンが例えば長方形と判断した場合、描画パターンの重心位置を基準にして、図７（ｂ）に示すようにポイント操作領域７を作成して画面２１に表示する（ステップＳ１７）。この状態で発表者がタッチパネル３に触って画面２１上の点Ａに対応する点Ｂをポイント指示すると、ポインタ領域作成部４９はポイント指示がされたと判定する（ステップＳ１１〜Ｓ１４）。ポインタ移動部５０はポインタ領域作成部４９でポイント指示がされたと判定すると、画面２１上のポインタ６をポイント指示された点Ｂと対応する画面２１の点Ａに移動して表示する（ステップＳ１８）。この状態で発表者により、図７（ｃ）に示すように非ループ状の軌跡２３がポイント操作領域７に描画され、軌跡２３のタッチ座標と時刻がＲＡＭ４３に記憶されると、ポインタ領域作成部４９は描画された軌跡２３を抹消図形と判断して画面２１からポイント操作領域７を消去する（ステップＳ１９，Ｓ２０）。このポイント操作領域７を消去するときにポイント操作領域７の重心に対して軌跡２３の重心とが、あらかじめ設定された値より近い距離にあったときに、軌跡２３を抹消図形と判断することにより動作の冗長性を抑えることができる。
【００１５】
次に、上記のようにポイント操作領域７内の点Ｂをポイント指示したときに、指示された点Ｂの座標を画面２１の点Ａの座標に座標変換するときの処理を説明する。ポイント操作領域７が画像表示手段２とタッチパネル３を一定の縮小率で縮小して表示されている場合、図５に示すように画面２１の例えば左下端部を原点Ｏ１として画面２１の各点をＸ−Ｙ座標で表わし、原点Ｏ１と対角の点Ｃ１の座標を（ｘ１ｅ，ｙ１ｅ）とし、原点Ｏ１に対応するポイント操作領域７の左下端部をポイント操作領域７の原点Ｏ２とし、点Ｃ１に対応するポイント操作領域７の点Ｃ２の座標を（ｘ２ｅ，ｙ２ｅ）とすると、ポイント操作領域７の各点の座標（ｘ２，ｙ２）は画面２１の各点の座標（ｘ１，ｙ１）に対して座標（ｘ１ｅ，ｙ１ｅ）と座標（ｘ２ｅ，ｙ２ｅ）で定まる係数ｋを介して一対一で対応する。したがってポインタ移動部５０はポイント操作領域７でポイントされた点Ｂの座標（ｘ２ｂ，ｙ２ｂ）から画面２１の点Ａの座標（ｘ１ａ，ｙ１ａ）に変換することができ、ポインタ６を確実に点Ａに移動することができる。
【００１６】
この場合、ポイント操作領域７内の各点が画面２１上の各点に一対一で対応するから、ポイント操作領域７は利用者に対して画面２１全体の縮小画面と等価に認識される。そこでポイント操作領域７を表示するときに、図９に示すように、画面２１全体に表示されている文字や図形などのオブジェクト２４を縮小した相似の縮小オブジェクト２５をポイント操作領域７上に表示することができる。
【００１７】
上記指示された点Ｂの座標を画面２１の点Ａの座標に座標変換する処理はポイント操作領域７でポイントされた点Ｂの座標（ｘ２ｂ，ｙ２ｂ）から画面２１の点Ａの座標（ｘ１ａ，ｙ１ａ）に変換する場合について示したが、画面２１上のポインタ６を直接移動することもできる。この場合の処理を図１０を参照して説明する。ポイント操作領域７内の座標移動の相対値は画面２１上のポインタ６の移動の相対値に対して上記係数ｋを介して対応する。したがって発表者がポイント操作領域７内のタッチパネル３上の任意の点Ｄ（ｘ２１，ｙ２１）に触れながら点Ｅ（ｘ２２，ｙ２２）に移動して画面２１上のポインタ６の表示位置Ｆ（ｘ１１，ｙ１１）の移動を指示すると、ポイント操作領域７内で指示された座標データ列がＸ２−Ｙ２座標で入力される。この入力された座標データ列を微分または差分演算することにより入力された座標の変化（ｄｘ２，ｄｙ２）が適当な時間間隔で演算される。このポイント操作領域７内でのタッチ座標の時間変化と上記係数ｋを乗算した座標の変化（ｄｘ１，ｄｙ１）により画面２１上のポインタ６の座標（ｘ１１，ｙ１１）を変化させて表示することができる。この場合ポイント操作領域７内の点Ｄは画面２１のポインタ６の表示位置Ｆに一対一で対応しなくても良く、座標の変化分（ｄｘ２，ｄｙ２）を係数ｋを介して画面２１上の点Ｆの座標変化に対応させることができ、マウスを操作するのと同じ感覚で画面２１上のポインタ６を操作することができる。
【００１８】
このマウスを操作するのと同じ感覚で画面２１上のポインタ６を操作する処理とポイント操作領域７でポイントされた点Ｂの座標を使用した処理を利用者が必要に応じて切り換えて使用すると、マウスエミュレーションと絶対座標によるポイント指示動作をそのときの状況に応じて使い分けることができる。
【００１９】
上記画像表示装置１はコンピュータによって生成された画像を表示することを前提にしている。表示された画像中のオブジェクトを移動したり、オペレーティングシステムのアイコンやウィンドウを移動させる際に、通常のマウス操作ではアイコンをオブジェクトの上に移動させ、ボタンを押し下げ（ポイント動作）そのまま希望の位置まで移動させる動作を行う。これは通常、ドラッグという動作として知られている。そこで画像表示装置１で画面２１上にポイント操作領域７を表示し、その内部の座標をポイントすることで、画面２１全体にわたってポインタを動かすときのドラッグ動作を行う場合の動作について説明する。画像表示装置１はタッチパネル３に触ったことと、その座標変化からポインタを動かすので、通常のマウスにあるようなボタン機構を持たない。そこで通常のマウスに代わる動作を実現する方法として、ポイント操作領域７内で目的の座標までカーソルを持ってゆき、その場所で指によりオブジェクト表示面をたたく動作を行う。例えば図１１は指先５のタッチパネル３への接触状態の時間変化を示している。時間Ｔ１でタッチパネル３のポイント操作領域７に指先５を接触させて移動し、画面２１の所望のオブジェクトまでポインタ６を移動する。時間Ｔ２で所望のオブジェクトまでポインタ６を移動したら、指先５をタッチパネル３から一旦離して、時間Ｔ３でその場所のオブジェクトを指先でたたく。この動作が終了した時点Ｔ４からポイント指示部５１は所望のオブジェクトを選択しマウスボタンを押し下げた状態（ポイント状態）に移行する。この判断は、例えば適当な時間間隔以内でタッチパネル３のポイント操作領域７に対する接触と非接触状態が切り替わったことによって判断できる。また、ポイント指示部５１はポイント操作領域７の表示色を非ポイント状態での第一色から第二色に変える。この表示色の変化により機械的なボタンがない場合でも、利用者はポイント状態に変わったことを確実に認識することができる。この状態でポイント操作領域７に指先５を再度接触させてポイントしたオブジェクトを移動して時間Ｔ５で離すことにより、オブジェクトの移動が完了するとともにオブジェクトのポイント状態が解除される。
【００２０】
上記実施例ではポイント状態に移行するときに、時間Ｔ３でポイント操作領域７を一回のたたく動作を行った場合について説明したが、複数回たたく場合のたたく回数によってポイント指示部５１でいくつかの状態を選択的に指定するようにしても良い。さらに、ポイント操作領域７をたたいて状態を変える状態遷移過程のとき、ポイント操作領域７の表示色を第三色に切り替えることにより、利用者は現在の状態が状態遷移過程にあることを認識でき、誤動作を軽減することができる。
【００２１】
【発明の効果】
この発明は以上説明したように、表示された画像の表示点をポイントするためのポインタ操作領域を使用者の指示により所望の位置に表示し、ポイント操作領域内の表示画面上の表示点に対応する位置をポイントして表示画面上のポインタを表示点に移動して指示するようにしたから、大画面上の発表者の手が届かない表示点を簡単かつ正確にポイントすることができる。
【００２２】
また、ポイント状態に移行したとき、そのポイント状態に応じてポイント操作領域の表示色を変えるから、ポイント動作時の誤動作や誤操作を軽減することができる。
【００２７】
さらに、ポイント操作領域内を１回若しくは複数回たたくことにより、たたく回数に応じたいずれかのポイント状態を得ることができるから、大型画面のポイント動作を簡単に行なうことができる。この複数のポイント状態を得たとき、ポイント状態に応じてポイント操作領域の表示色を変えることにより、ポイント動作時の誤動作や誤操作を軽減することができる。
【図面の簡単な説明】
【図１】この発明の実施例の外観図である。
【図２】上記実施例の制御部の構成を示すブロック図である。
【図３】タッチパネルに非接触時の波形図である。
【図４】タッチパネルに接触時の波形図である。
【図５】ポイント操作領域を表示した画面の表示図である。
【図６】ポイント操作の動作を示すフローチャートである。
【図７】ポイント操作領域の表示と消去を示す処理工程図である。
【図８】ポイント操作領域の表示と消去の処理を示すフローチャートである。
【図９】表示画面の表示内容をポイント操作領域に表示した表示図である。
【図１０】座標の変化分によるポインタの移動動作を示す説明図である。
【図１１】ポイント操作領域の操作によるドラッグ動作を示すタイムチャートである。
【符号の説明】
１      画像表示装置
２      画像表示手段
３      タッチパネル
４      制御部
６      ポインタ
７      ポイント操作領域
２１    画面
４１    ＣＰＵ
４２    ＲＯＭ
４３    ＲＡＭ
４４    送信部
４５    受信部
４９    ポインタ領域作成部
５０    ポインタ移動部
５１    ポイント指示部
【図１】
0004244075.tif 000002
【図２】
0004244075.tif 000003
【図３】
0004244075.tif 000004
【図４】
0004244075.tif 000005
【図５】
0004244075.tif 000006
【図６】
0004244075.tif 000007
【図７】
0004244075.tif 000008
【図８】
0004244075.tif 000009
【図９】
0004244075.tif 000010
【図１０】
0004244075.tif 000011
【図１１】
0004244075.tif 000012